(57)【要約】  【課題】  足場板の側縁に隙間を生じさせず、作業安全性の高い足場用幅木を提供する。  【解決手段】  幅木本体２の両端側面２ａの下端部に足場板Ｂの係止クランプＢａへ上方より差し込んで係止させる略逆Ｕ字形状の係止金具３と、係止クランプＢａの下端縁に下端部に形成したかぎ爪部４ａを掛け止めて係止金具３の抜け止めを図る略レ字形状の抜け止め金具４とを軸体７にて回動自在に軸着する。また、幅木本体２の両端の上端部には建枠Ａの脚柱Ａｂに引っ掛けて固定するフック金具５を備える。このように、この幅木１はその下端部を足場板Ｂの係止クランプＢａに係止して足場板Ｂの側縁に立設するものであるので、足場板Ｂの側縁に隙間が生じることがなく、作業安全性に優れている。【選択図】  図６
2006161458.tif 000002
【特許請求の範囲】
【請求項１】
建枠及び足場板を組み上げてなる仮設用足場の足場板の周囲に取り付ける足場用幅木であって、幅木本体の両端側面の下端部に足場板の係止クランプへ上方より差し込んで係止させる略逆Ｕ字形状の係止金具と、足場板の係止クランプの下端縁に下端部に形成したかぎ爪部を掛け止めて前記係止金具の抜け止めを図る略レ字形状の抜け止め金具とを回動自在に軸着し、該抜け止め金具はバネ体によって掛け止め位置へ付勢させる一方、幅木本体の両端の上端部には建枠の脚柱に固定する固定金具を備えたことを特徴とする足場用幅木。
【請求項２】
前記固定金具は、建枠の脚柱に引っ掛けて固定する略Ｊ字形状のフック金具であり、該フック金具はその基端軸部を幅木本体の長手方向と並行に配して回動自在に軸着し、かつ幅木本体の長手方向へ進退自在としてバネ体によって幅木本体の内方へ付勢させてなることを特徴とする請求項１記載の足場用幅木。
【発明の詳細な説明】
【技術分野】
【０００１】
本発明は、仮設用足場の足場板の周囲に取り付けて作業安全を確保する足場用幅木に関する。
【背景技術】
【０００２】
従来より、建枠及び足場板を組み上げて構築する仮設用足場の足場板の周囲には、作業者の墜落防止などの作業安全を確保するために足場用の幅木が取り付けられている。前記幅木としては、例えば、実公平５−２８２７８号公報に示されるように、幅木本体の両端部に略Ｕ字形状の係止金具を備え、この係止金具を建枠の脚柱へ係止固定するようにしたものがある。
【特許文献１】実公平５−２８２７８号
【発明の開示】
【発明が解決しようとする課題】
【０００３】
しかしながら、実公平５−２８２７８号公報に示される従来の幅木では、幅木本体を建枠の脚柱に対して取り付ける構成としているため、どうしても足場板の側縁には隙間が生じる。そして、何かの拍子で足場板が横へずれ動いて建枠の一方側へと偏ってしまった場合などには、その隙間が大きくなって作業安全が十分に確保できないおそれがある。
【０００４】
本発明は上記の点に鑑み、足場板の側縁に隙間を生じさせず、作業安全性の高い足場用幅木を提供することを課題とする。
【課題を解決するための手段】
【０００５】
上記の課題を解決するために、本発明に係る請求項１記載の足場用幅木にあっては、建枠及び足場板を組み上げてなる仮設用足場の足場板の周囲に取り付ける足場用幅木であって、幅木本体の両端側面の下端部に足場板の係止クランプへ上方より差し込んで係止させる略逆Ｕ字形状の係止金具と、足場板の係止クランプの下端縁に下端部に形成したかぎ爪部を掛け止めて前記係止金具の抜け止めを図る略レ字形状の抜け止め金具とを回動自在に軸着し、該抜け止め金具はバネ体によって掛け止め位置へ付勢させる一方、幅木本体の両端の上端部には建枠の脚柱に固定する固定金具を備えたことを特徴としている。
【０００６】
また、請求項２記載の足場用幅木にあっては、前記固定金具は、建枠の脚柱に引っ掛けて固定する略Ｊ字形状のフック金具であり、該フック金具はその基端軸部を幅木本体の長手方向と並行に配して回動自在に軸着し、かつ幅木本体の長手方向へ進退自在としてバネ体によって幅木本体の内方へ付勢させてなることを特徴としている。
【発明の効果】
【０００７】
本発明に係る請求項１記載の足場用幅木によれば、建枠及び足場板を組み上げてなる仮設用足場の足場板の周囲に取り付ける足場用幅木であって、幅木本体の両端側面の下端部に足場板の係止クランプへ上方より差し込んで係止させる略逆Ｕ字形状の係止金具と、足場板の係止クランプの下端縁に下端部に形成したかぎ爪部を掛け止めて前記係止金具の抜け止めを図る略レ字形状の抜け止め金具とを回動自在に軸着し、該抜け止め金具はバネ体によって掛け止め位置へ付勢させる一方、幅木本体の両端の上端部には建枠の脚柱に固定する固定金具を備えたので、この幅木を足場板に取り付ければ足場板と幅木との間に隙間が生じることはなく、常に高い作業安全性を確保できる。また、抜け止め金具によって係止金具の抜け止めを図っているため、より確実に作業安全性を確保できる。
【０００８】
また、請求項２記載の足場用幅木によれば、前記固定金具は、建枠の脚柱に引っ掛けて固定する略Ｊ字形状のフック金具であり、該フック金具はその基端軸部を幅木本体の長手方向と並行に配して回動自在に軸着し、かつ幅木本体の長手方向へ進退自在としてバネ体によって幅木本体の内方へ付勢させてなるので、設置作業がごく簡単で済み、高所作業に好適である。
【発明を実施するための最良の形態】
【０００９】
本発明に係る請求項１記載の足場用幅木によれば、幅木の下端部を足場板の係止クランプに係止して幅木と足場板とを一体化するものであり、幅木本体の両端側面の下端部に足場板の係止クランプへ上方より差し込んで係止させる略逆Ｕ字形状の係止金具と、足場板の係止クランプの下端縁に下端部に形成したかぎ爪部を掛け止めて前記係止金具の上方への動きを阻止することにより係止金具の抜け止めを図るようにした略レ字形状の抜け止め金具とを回動自在に軸着している。また、前記抜け止め金具は、バネ体によって掛け止め位置、即ち抜け止め金具の下端部に形成したかぎ爪部が係止クランプの下端縁に当接して掛け止められる位置へと付勢させている。また、幅木本体の両端の上端部には建枠の脚柱に固定する固定金具を備えている。
【００１０】
そして、幅木を取り付けるときには、前記係止金具を足場板の係止クランプへ上方から差し込んで係止させる。このとき、抜け止め金具のかぎ爪部がバネ体の付勢力によって自動的に足場板の係止クランプの下端縁に掛け止められ、係止金具が抜け外れたりしないように確実に固定し、幅木本体の下端縁を足場板上面と近接または当接させて幅木と足場板の一体化を図っている。次いで、これら係止金具を支点に幅木本体を建枠の脚柱側へ回動させ、幅木本体の上端縁が脚柱と近接または当接するまで傾倒させた後、幅木本体の上端部に備えた固定金具を建枠の脚柱に固定して幅木の設置を完了する。
【００１１】
このように、幅木の下端部を足場板の係止クランプに係止させて足場板の側縁に立設しているので、従来のように足場板の側縁に隙間が生じることもなく、また何かの拍子で足場板が左右にずれ動いたとしても足場と幅木が一体となって動くのでやはり隙間を生じることはなく、作業安全性が確保される。また、抜け止め金具で係止金具の抜け止めが図られているので、作業時などに何かの拍子で係止金具が抜け外れてしまうようなおそれもなく、より確実に作業安全性を確保できる。
【００１２】
また、請求項２記載の足場用幅木によれば、固定金具として、幅木本体の両端の上端部には建枠の脚柱に引っ掛けて固定する略Ｊ字形状のフック金具を備え、該フック金具はその基端軸部を幅木本体の長手方向と並行に配して回動自在に軸着し、かつ幅木本体の長手方向へ進退自在としてバネ体によって幅木本体の内方へ付勢させるようにしている。
【００１３】
そして、幅木を建枠の脚柱に固定するときには、幅木本体の両端の上端部に備えた略Ｊ字形状のフック金具をバネ体の付勢力に抗して幅木本体の側方へ引っ張り、フック部が略水平となるように回動させて調節した後、フック金具を離してバネ体の復元力によってフック部を建枠の脚柱に引っ掛けて固定を完了する。
【００１４】
このように、ごく簡単な操作にて幅木を立設状態で固定することができ、高所作業に対して好適である。
【実施例】
【００１５】
以下、本発明の実施例を図面に基づいて説明する。
【００１６】
図１及び図２は建築現場などで複数の建枠Ａを所定間隔にて立設し、隣接する建枠Ａの横架材Ａａ間に足場板Ｂを、また建枠Ａの脚柱Ａｂ間に筋交いＣを掛け止めてなる仮設用足場を示しており、前記足場板Ｂの周囲には本発明の足場用幅木１を取り付けている。図３乃至図５はその要部拡大図であって、前記幅木１は足場板Ｂと略同一長さの軽量溝形鋼部材からなる幅木本体２を主体とし、該幅木本体２の両端側面２ａの下端部に足場板Ｂの係止クランプＢａへ係止させる係止金具３と、係止金具３の抜け止めを図る抜け止め金具４とをそれぞれ備えていると共に、幅木本体２の両端側面２ａの上端部には建枠Ａの脚柱Ａｂに固定する固定金具であるフック金具５を備えている。
【００１７】
前記係止金具３は、所定幅のスリット６を有する略逆Ｕ字形状の板状金具であり、幅木本体２の両端側面２ａと平行に配置し、その上端部を軸体７にて幅木本体２の両端側面２ａの下端部に回動自在に軸着している。ここで、前記スリット６は足場板Ｂの係止クランプＢａの厚みよりも若干幅広に形成しており、図５及び図６に示すように、このスリット６を係止クランプＢａの基端部位置へ上方より差し込んで係止できるようにしている。
【００１８】
前記抜け止め金具４は、略レ字形状に形成した金具であり、その下端部には足場板Ｂの係止クランプＢａの下端縁に引っ掛けて掛け止められるようにかぎ爪部４ａを形成している。そして、この抜け止め金具４も前記係止金具３と同様に、幅木本体２の両端側面２ａと平行に配置し、その上端部を前記係止金具３を軸着する軸体７にて回動自在に軸着している。したがって、係止金具３と抜け止め金具４とは、図に示すように、平行に近接した状態で一つの軸体７にて同軸に軸着されている。
【００１９】
また、抜け止め金具４は、その上端部と軸体７とにわたって取り付けたバネ体８によって掛け止め位置、即ち図５の実線で示す位置へ付勢させており、前記係止金具３のスリット６を係止クランプＢａの基端部へ上方から差し込んで係止させる際には、図５に示すように、抜け止め金具４の下端部はバネ体８の付勢力に抗して一旦拡開して係止クランプＢａとの干渉を回避した後、係止クランプＢａの基端部がスリット６に収まる位置まで来ると、抜け止め金具４の下端部はバネ体８の復元力によって元の位置に戻り、このとき抜け止め金具４の下端部に形成したかぎ爪部４ａが係止クランプＢａの下端縁に引っ掛かって掛け止められる構造としている。なお、この抜け止め金具４のかぎ爪部４ａによる係止クランプＢａへの掛け止めを解除する場合には、抜け止め金具４の上端片を指でつまんでバネ体８の付勢力に抗して少し回動させてやれば容易に解除することができる。
【００２０】
このように、抜け止め金具４のかぎ爪部４ａを係止クランプＢａの下端縁に掛け止めれば、係止金具３の上方への動きを阻止でき、係止金具３の抜け外れを確実に防ぐことができる。こうして、係止金具３を足場板Ｂの係止クランプＢａに係止固定すれば、図５に示すように、幅木本体２は軸体７を支点として脚柱Ａｂ側に回動できるようになる。
【００２１】
一方、前記フック金具５は、建枠Ａの脚柱Ａｂに引っ掛けて固定可能なように略Ｊ字形状に折曲形成した棒状金具であり、幅木本体２の両端に備え、その円弧状のフック部９を幅木本体２の長手方向側方に突出させていると共に、直線状の基端軸部１０を幅木本体２の長手方向と並行に配して図３及び図４中の矢印方向へ進退自在とし、かつ基端軸部１０にはバネ体１１を外装して幅木本体２の内方へ付勢させている。そして、前記フック部９を脚柱Ａｂに引っ掛けさえすれば、バネ体１１の復元力によって幅木本体２は強固に固定される。このように、高所作業に適した簡単な操作でありながら確実に固定可能としていると共に、取り付け用の工具なども必要とせず、設置作業性に優れたものとしている。
【００２２】
また、このフック金具５は、基端軸部１０を幅木本体２に対して回動自在に軸着しており、図５に示すように、幅木本体２の傾斜角度が変化してもフック金具５を常に水平に位置させることができ、建枠Ａの脚柱Ａｂに確実に引っ掛けて固定できるようにしている。なお、フック金具５は幅木本体２の左右によって、図３に示すように、それぞれその途中を上下逆向きに若干湾曲させており、仮設用足場に連続して幅木１を取り付けた際に、各幅木１のフック金具５同士が干渉しないように図っている。
【００２３】
しかして、上記足場用幅木１を取り付けるときには、足場板Ｂ両端の各係止クランプＢａの基端部に幅木１両端の各係止金具３のスリット６を上方よりそれぞれ差し込んで係止させる。このとき、同時に抜け止め金具４下端部のかぎ爪部４ａが係止クランプＢａ基端部の下端縁に引っ掛かって掛け止められ、足場用幅木１と足場板Ｂの係止クランプＢａとは強固に固定される。次に、係止金具３の軸体７を支点に幅木本体２を脚柱Ａｂ側へ回動させ、幅木本体２の上端縁が脚柱Ａｂ側面と近接または当接するまで傾倒させる。続いて、フック金具５をバネ体１１の付勢力に抗して幅木本体２の側方へ引っ張った後、フック部９が略水平位置となるまで回動させてフック部９の開口部を脚柱Ａｂに対向させる。そして、その状態からフック金具５を離すと、バネ体１１の復元力によってフック金具５が幅木本体２の内方へ短縮していき、フック部９が脚柱Ａｂに引っ掛かって固定される。
【００２４】
このように、幅木１は、その下端部を足場板Ｂの係止クランプＢａに係止して足場板Ｂの側縁に立設するものであるので、足場板Ｂの側縁に隙間が生じることもなく、また足場板Ｂと幅木１が一体となっているので足場板Ｂが左右にずれにくく、例え何かの拍子に左右にずれ動いたとしても、足場板Ｂと一体となって幅木１も動き、足場板Ｂの側縁に隙間を生じることもなく、安全性が確保される。また、抜け止め金具４によって幅木１と足場板Ｂの係止クランプＢａとは強固に固定されており、作業時などに幅木１に強い衝撃が加わったとしても外れて脱落するようなおそれはない。更に、幅木１を設置する作業も上記の通り簡単なものであるので、高所作業に適しており、また装置構造もごくシンプルなものであるので、製造コストを抑えることができると共に、メンテナンス面でも有利である。
【図面の簡単な説明】
【００２５】
【図１】本発明に係る足場用幅木を仮設用足場に取り付けた状態を示す正面図である。
【図２】図１の一部省略平面図である。
【図３】図１の要部拡大図である。
【図４】図２の一部切り欠き要部拡大図である。
【図５】図３の一部省略Ｘ−Ｘ線矢視図である。
【図６】本発明に係る足場用幅木を仮設足場に取り付けた状態を示す一部切り欠き斜視図である。
【符号の説明】
【００２６】
１…幅木                      ２…幅木本体
３…係止金具                  ４…抜け止め金具
４ａ…かぎ爪部                  ５…フック金具
６…スリット                  ７…軸体
８…バネ体                    ９…フック部
１０…基端軸部                １１…バネ体
Ａ…建枠                    Ａａ…横架材
Ａｂ…脚柱                      Ｂ…足場板
Ｂａ…係止クランプ              Ｃ…筋交い
【図１】
2006161458.tif 000003
【図２】
2006161458.tif 000004
【図３】
2006161458.tif 000005
【図４】
2006161458.tif 000006
【図５】
2006161458.tif 000007
【図６】
2006161458.tif 000008